【手続補正書】
【提出日】平成23年8月1日(2011.8.1)
【手続補正１】
【補正対象書類名】明細書
【補正対象項目名】００１０
【補正方法】変更
【補正の内容】
【００１０】
ＩＧＭＰメッセージを解析する機能とその解析結果として得られたＭＡＣアドレスと暗号化グループ単位とを対応づける機能を持ち、ＩＧＭＰメッセージと暗号化グループの対応情報からマルチキャスト信号を暗号化する手段を有するＯＬＴと、ＩＧＭＰメッセージを解析する機能と、解析結果として得られたＭＡＣアドレスと暗号化鍵とを対応づける機能と、ＩＧＭＰグループに対応付けられたＭＡＣアドレスと暗号化鍵からマルチキャスト信号を特定し、復号化する手段を有するＯＮＵから構成され、暗号化鍵切り替え時にフレームカウンタをＯＬＴからＯＮＵへ送信する手段を有するＯＬＴと、受信フレームカウンタから、暗号化鍵切り替えタイミングを検知する機能を有するＯＮＵにより、フレームレベルでのマルチキャスト信号の鍵切り替えを無瞬断で行うことで本課題を解決する。
【手続補正２】
【補正対象書類名】明細書
【補正対象項目名】００１６
【補正方法】変更
【補正の内容】
【００１６】
図１を参照して、ＰＯＮシステムの構成を説明する。図１において、ＰＯＮシステム７００は、ＯＬＴ２０と、ｎ台のＯＮＵ１０を光ファイバ６０−１と光スプリッタ５０によって構成される光配信網にて接続する。ＯＮＵ１０−１〜１０−ｎは、加入者宅内にてビデオを視聴可能にするｍ台のセットトップボックス３０を収容する。各々のセットトップボックス３０は、テレビ４０と接続する。ＯＬＴ２０は、上位データ配信ネットワーク９０を通じて、ビデオサーバ７０とマルチキャストルータ８０と接続する。ＯＬＴ２０には、光配信網をｋ台接続する。なお、光スプリッタ５０は光カプラでもよい。ビデオサーバ７０とマルチキャストルータ８０は、ビデオ信号を配信する。
【手続補正３】
【補正対象書類名】明細書
【補正対象項目名】００２１
【補正方法】変更
【補正の内容】
【００２１】
ＭＡＣアドレス・ＩＧＭＰグループ管理部１０３は、ＭＡＣアドレスとＩＧＭＰグループとポートＩＤの対応情報を記憶・保持する。ＭＡＣアドレス・ＩＧＭＰグループ管理部１０３は、ＩＧＭＰスヌープ信号部１０２より受信したＭＡＣアドレスとＩＧＭＰグループの対応の記録・保持依頼を受け、ＭＡＣアドレスとＩＧＭＰグループの対応付け確認する。ＭＡＣアドレス・ＩＧＭＰグループ管理部１０３は、確認した結果ＩＧＭＰグループが存在する場合、ＭＡＣアドレスとＩＧＭＰグループの対応情報を記録・保持し、肯定確認応答をＩＧＭＰスヌープ部１０２へ送信する。ＭＡＣアドレス・ＩＧＭＰグループ管理部１０３は、確認した結果ＩＧＭＰグループが存在しない場合、ＭＡＣアドレスとＩＧＭＰグループの対応情報を破棄し、否定確認応答をＩＧＭＰスヌープ部１０２へ送信する。
【手続補正４】
【補正対象書類名】明細書
【補正対象項目名】００３５
【補正方法】変更
【補正の内容】
【００３５】
ＭＡＣアドレス・ＩＧＭＰグループ管理部２０４は、ＭＡＣアドレスとＩＧＭＰグループとＡＮＩポートＩＤの対応情報を記憶・保持する。ＭＡＣアドレス・ＩＧＭＰグループ管理部２０４は、ＩＧＭＰスヌープ部２０３より、ＩＧＭＰグループとＭＡＣアドレスとフレーム受信したＡＮＩポートＩＤの対応の記憶・保持要求を受信する。ＭＡＣアドレスが既知の場合、ＭＡＣアドレス・ＩＧＭＰグループ管理部２０４は、ＩＧＭＰグループとＭＡＣアドレスとフレーム受信したポートＩＤの対応情報を更新する。ＩＧＭＰグループが存在している場合、ＭＡＣアドレス・ＩＧＭＰグループ管理部２０４は、肯定確認応答をＩＧＭＰスヌープ部２０３へ送出する。ＩＧＭＰグループが存在していない場合、ＭＡＣアドレス・ＩＧＭＰグループ管理部２０４は、否定確認応答をＩＧＭＰスヌープ部２０３へ送出し、ＩＧＭＰグループとＭＡＣアドレスとフレーム受信したポートＩＤの対応情報について、新規登録する。
【手続補正５】
【補正対象書類名】明細書
【補正対象項目名】００３７
【補正方法】変更
【補正の内容】
【００３７】
マルチキャスト用暗号化鍵管理部２０６は、所属物理ポート（ＡＮＩポート）とＯＮＵ ＩＤと鍵作成者識別とＭＡＣアドレスとＩＧＭＰグループの対応情報を記憶・保持・更新する。マルチキャスト用暗号化鍵管理部２０６は、Ａｌｌｏｃａｔｉｏｎ−ＩＤとＩＧＭＰグループと暗号化鍵の対応関係を記憶・保持・更新する。ＩＧＭＰグループが新規作成された場合、マルチキャスト用暗号化鍵管理部２０６は、ＯＮＵ１０へ対して、暗号化鍵生成要求を送信する。ＩＧＭＰグループが既存であった場合、マルチキャスト用暗号化鍵管理部２０６は、グループに所属するＯＮＵ１０を１台選定し、暗号化鍵生成要求を送信する。マルチキャスト用暗号化鍵管理部２０６は、マルチキャストデータ暗号化部２０９からのＩＧＭＰグループに対応する暗号化鍵の問い合わせに応答する。
【手続補正６】
【補正対象書類名】明細書
【補正対象項目名】００４６
【補正方法】変更
【補正の内容】
【００４６】
ＯＬＴ２０は、ＯＮＵ１０に暗号化鍵生成要求を送信する（Ｓ１９）。ＯＮＵ１０は、ＡＣＫをＯＬＴ２０に送信する（Ｓ２１）。ＯＮＵ１０は、暗号化鍵を生成する（Ｓ２２）。ＯＮＵ１０は、ＯＬＴ２０に暗号化鍵を送信する（Ｓ２３）。ＯＬＴ２０は、暗号化鍵をチェックする（Ｓ２４）。ＯＬＴ２０は、ＯＮＵ１０にＡＣＫを送信する（Ｓ２６）。ＯＬＴ２０は、ＯＮＵ１０に鍵有効タイミングを送信する（Ｓ２７）。ＯＮＵ１０は、ＯＬＴ２０にＡｃｋを送信する（Ｓ２８）。
【手続補正７】
【補正対象書類名】明細書
【補正対象項目名】００４９
【補正方法】変更
【補正の内容】
【００４９】
図９および図１０を参照して、ＯＬＴの処理フローチャートを説明する。図９において、ＯＬＴ２０は、受信したデータがユニキャストデータかマルチキャストデータか判定する（Ｓ５１）。ユニキャストデータのとき、ＯＬＴ２０は、コントロールメッセージかＩＧＭＰメッセージか判定する（Ｓ５２）。ＩＧＭＰメッセージのとき、ＯＬＴ２０は、ＭＡＣアドレス、ＩＧＭＰグループ、Ｐｏｒtを取得する（Ｓ５３）。ＯＬＴ２０は、ＩＧＭＰ ｊｏｉｎかＩＧＭＰ ｌｅａｖｅか判定する（Ｓ５４）。ＩＧＭＰ ｌｅａｖｅのとき、ＯＬＴ２０は、当該ＩＧＭＰグループから該当するＭＡＣアドエスの所属を外す（Ｓ５６）。ＯＬＴ２０は、該当ＩＧＭＰグループに所属するユーザがいないか判定する（Ｓ５７）。ＹＥＳのとき、ＯＬＴ２０は、当該ＩＧＭＰグループを削除して（Ｓ５８）、終了する。
【手続補正８】
【補正対象書類名】明細書
【補正対象項目名】００５４
【補正方法】変更
【補正の内容】
【００５４】
ステップ６７１において、暗号化鍵更新のとき、ＯＬＴ２０は、該ＩＧＭＰグループに所属する全ＯＮＵへ暗号化鍵を送信して（Ｓ６７９）、終了する。ステップ６７１において、暗号化鍵更新タイミング通知のとき、ＯＬＴ２０は、ステップ６７７に遷移する。
ＩＧＭＰレポートメッセージを含むメッセージと、暗号化鍵生成要求と、暗号化鍵生成応答は、暗号化ユニキャストチャネルにて通信を行なってもよい。
【手続補正９】
【補正対象書類名】明細書
【補正対象項目名】００５８
【補正方法】変更
【補正の内容】
【００５８】
図１２を参照して、ステップ９６のコントロールメッセージ処理を説明する。図１２において、ＯＮＵ１０は、コントロールメッセージを判定する（Ｓ９６０）。暗号化鍵作成依頼のとき、ＯＮＵ１０は、暗号化鍵を生成する（Ｓ９６１）。ＯＮＵ１０は、ＯＬＴ２０へ暗号化鍵を送信して（Ｓ９６２）、終了する。ステップ９６０で暗号化鍵作成応答のとき、ステップ９６２に遷移する。ステップ９６０で暗号化鍵再送依頼のとき、ＯＮＵ１０は、ＯＬＴ２０へ暗号化鍵再送を依頼して（Ｓ９６３）、終了する。ステップ９６０で暗号化鍵受信ならば、ＯＮＵ１０は、暗号化鍵チェックを行なう（Ｓ９６４）。ＯＮＵ１０は、エラーチェックの結果がエラーか判定する（Ｓ９６５）。ＹＥＳのとき、ＯＮＵ１０は、ステップ９６３に遷移する。ステップ９６５でＮＯのとき、ＯＮＵ１０は、ＩＧＭＰグループの新暗号化鍵を保存する（Ｓ９６６）。ＯＮＵ１０は、ＩＧＭＰグループに所属する暗号化鍵が有効になるタイミングをＯＬＴから受信し、保持する（Ｓ９６７）。ＯＮＵ１０は、受信したタイミングで暗号化鍵情報を更新して（Ｓ９６８）、終了する。なお、更新するのは、Ａｌｌｏｃａｔｉｏｎ−ＩＤ、ＩＧＭＰグループ、暗号化鍵である。
【手続補正１０】
【補正対象書類名】明細書
【補正対象項目名】００７１
【補正方法】変更
【補正の内容】
【００７１】
これらの手順により、ＯＬＴ２０は、サービスノードインタフェース部２０５において、マルチキャスト信号を受信する。マルチキャストデータ暗号化部２０９は、ＩＧＭＰグループに対応する暗号化鍵をマルチキャスト用暗号化鍵管理部２０６へ問い合わせる。マルチキャストデータ暗号化部２０９は、マルチキャスト信号を暗号化する。その後、マルチキャストデータ送信部２１０、アクセスノードインタフェース部２０１を経てＯＮＵ１０へマルチキャスト信号を送信する。
【手続補正１１】
【補正対象書類名】明細書
【補正対象項目名】００７２
【補正方法】変更
【補正の内容】
【００７２】
マルチキャスト信号をアクセスノードインタフェース部１０５で受信したＯＮＵ１０は、データ送受信部１０４を経てマルチキャストデータ復号化部１１０で暗号化マルチキャスト信号の復号化を行なう。マルチキャストデータ復号化部１１０は、マルチキャスト用暗号化鍵管理部１０９に問い合わせを行ない、該当ＩＧＭＰグループのマルチキャスト信号を復号化する。マルチキャスト用暗号化鍵管理部１０９は、受信したマルチキャスト信号と暗号鍵をＡｌｌｏｃ−ＩＤ（Allocation-ID）６０４部にて識別する。また、ＯＮＵ１０配下のＳＴＢ３０が要求していないＩＧＭＰグループのマルチキャスト信号であった場合は、フレームを破棄する。
【手続補正１２】
【補正対象書類名】図面
【補正対象項目名】図１２
【補正方法】変更
【補正の内容】
【図１２】
2010183494.tif 000001